(57)【要約】【課題】  合理的な放熱効果を得、また省電力化を実現することもできる。【解決手段】  ファンモジュール１には、ファン２及びファン駆動部３の周囲の温度の大きさに基づいてファン２の回転数を制御する制御装置７を備える。制御装置７は、ファン駆動部３に取り付けられて、ファン２及びファン駆動部３の周囲の温度を検出する温度感知センサ８と、その検出温度の大きさに基づきファン駆動部３を制御することで、駆動すべきファン２の回転数を制御するファン回転制御部９とを備える。即ち、制御装置７は、ファン２の周囲の温度が、予め設定された温度より高い場合には、ファン２を通常の回転数より高い回転数で回転させ、温度が低い場合には、ファン２を通常の回転数より低い回転数で回転させる。【選択図】  図２
2005282556.tif 000002
【特許請求の範囲】
【請求項１】
回転するファンと、該ファンを駆動するファン駆動部とを備えたファンモジュールであって、
前記ファンの周囲の温度に基づいて前記ファンの回転数を制御する制御装置を備えていることを特徴とするファンモジュール。
【請求項２】
請求項１記載のファンモジュールにおいて、
前記制御装置は、ファンの周囲の温度を検出する温度感知センサと、該温度感知センサの検出に基づき、前記ファン駆動部を制御するファン回転制御部とを有することを特徴とするファンモジュール。
【請求項３】
請求項１または２記載のファンモジュールにおいて、
前記ファンの異常を検出する異常検出手段を有し、かつ該異常検出手段は少なくとも、前記ファンの回転数を検出するファン回転数センサと、ファンの回転停止を検出する回転停止センサと、ファンの状態を検出する状態センサとのいずれか一方からなることを特徴とするファンモジュール。
【発明の詳細な説明】
【技術分野】
【０００１】  本発明は、ファンモジュールに係り、特に内部の空気を外部に排気して機器を放熱させるのに好適なファンモジュールに関する。
【背景技術】
【０００２】  例えば、電子レンジなどのような電化製品にあっては、大小さまざまではあるがファンモジュールが搭載されており、使用時、ファンが駆動されることで、内部に発生した高温の空気を外部に排出するようにしている。
このようなファンモジュールを搭載した電化製品は、ファンの異常を検出する異常検出手段が設けられている。異常検出手段としては、例えばファンの回転数を検出する回転数センサと、ファンの回転停止を検出する回転停止センサと、ファンの状態を検出する状態センサとの少なくともいずれかからなっており、このいずれかのセンサによってファンに異常が生じたことを検出できるようになっている。
【発明の開示】
【発明が解決しようとする課題】
【０００３】  ところで、上記従来のファンモジュールにおいては、ファンの回転数検出センサ、回転停止検出センサ、状態検出センサによってファンに異常が生じたことを検出するようにしているものの、ファンの回転数そのものを上げたり下げたりする、いわゆる回転数の制御を行うことができなかった。
また、今日では省電力化が要請されているものの、電化製品に搭載された従来のファンモジュールは、電化製品の使用時、四季を通じて同一回転数で駆動されるので、つまり、温度の暖かい夏季や低い冬季に拘わらず、常に一定の回転数で駆動されているので、省電力化を実現することが困難であった。【０００４】  本発明は、上記事情に鑑み、ファンの回転数を制御することで合理的な放熱効果を得ることができ、また省電力化を実現することもできるファンモジュールを提供することを目的とする。
【課題を解決するための手段】
【０００５】  上記目的を達成するために、この発明は以下の構成を採用している。即ち、
請求項１に係る発明は、回転するファンと、該ファンを駆動するファン駆動部とを備えたファンモジュールであって、前記ファンの周囲の温度に基づいて前記ファンの回転数を制御する制御装置を備えていることを特徴とする。
請求項２に係る発明は、請求項１記載のファンモジュールにおいて、前記制御装置は、ファンの周囲の温度を検出する温度感知センサと、該温度感知センサの検出に基づき、前記ファン駆動部を制御するファン回転制御部とを有することを特徴とする。
請求項３に係る発明は、請求項１または２記載のファンモジュールにおいて、前記ファンの異常を検出する異常検出手段を有し、かつ該異常検出手段は少なくとも、前記ファンの回転数を検出するファン回転数センサと、ファンの回転停止を検出する回転停止センサと、ファンの状態を検出する状態センサとのいずれか一方からなることを特徴とする。
【発明の効果】
【０００６】  請求項１に係る発明によれば、制御装置がファンの周囲の温度に基づいてファンの回転数を制御するように構成したので、ファン周囲の温度変化に応じて排気を良好に行うことができ、合理的な放熱効果を得ることができ、また省電力化を実現することもできる効果がある。【０００７】  請求項２に係る発明によれば、制御装置が温度感知センサとファン回転制御部とを有して構成したので、合理的な放熱効果及び省電力化を確実に行える効果がある。【０００８】  請求項３に係る発明によれば、ファンの異常を検出する異常検出手段を有するので、ファンの異常の有無を確実に判定することができ、信頼性をより高める効果がある。
【発明を実施するための最良の形態】
【０００９】  以下、図面を参照し、この発明の実施の形態について説明する。図１及び図２は本発明の第１の実施の形態に係るファンモジュールを示す図であって、図１はファンモジュールを示す全体斜視図、図２はファンモジュールの構成ブロック図である。
図１に示すファンモジュール１は、複数の羽根（符示せず）によって構成されたファン２と、このファン２の各羽根を出力軸の周囲に略等間隔で取り付けたファン駆動部３とを備えている。ファン駆動部３は、ファン２を取り囲むように枠組されたハウジング４に設置されたモータからなっている。このファンモジュール１は、例えば電子レンジなどの電化製品（図示せず）に搭載されており、その電化製品の使用時、ファン駆動部３によってファン２が軸回りに回転駆動されることで、電化製品の内部の空気を外部に排気させ、いわゆる放熱作用を果たすようにしている。図１において、符号５はファン駆動部３から引き出された配線である。【００１０】  また、ファンモジュール１には、ファン２の異常を検出する異常検出手段６を有している。異常検出手段６としては、図２に示すように、それぞれがファン駆動部３に設けられてあって、回転数センサ６ａと回転停止センサ６ｂと状態センサ６ｃとからなっている。回転数センサは、ファン駆動部３の回転数を検出する。回転停止検出センサ６は、ファン駆動部３の回転停止を検出する。状態検出センサ７は、ファン駆動部３の状態を検出する。そして、上記各センサ６ａ〜６ｃの検出信号が電化製品の制御部（図示せず）に出力されることにより、その制御部が、ファン２に異常が生じているか否かを判定するようになっている。【００１１】  さらに、ファンモジュール１には、ファン２の周囲の温度の大きさに基づいてファン２の回転数を制御する制御装置７を備えている。この制御装置７は、図２に示すように、ファン駆動部３に取り付けられて、ファン２及びファン駆動部３の周囲の温度を検出する温度感知センサ８と、温度感知センサ８の検出温度の大きさに基づきファン駆動部３を制御することで、駆動すべきファン２の回転数を制御するファン回転制御部９とを備えている。【００１２】  即ち、制御装置７は、ファン２及びファン駆動部３の周囲の温度が、予め設定された温度より高い場合には、ファン駆動部３に対する駆動力を大きくしてファン２を通常の回転数より高い回転数で回転させ、温度が低い場合には、その駆動力を小さくしてファン２を通常の回転数より低い回転数で回転させるようになっている。その場合、ファン回転制御部９には、回転数センサ６ａの検出信号も入力されることで、ファン２の回転数をフィードバック制御するようにもなっている。【００１３】  このようなファンモジュール１は、電化製品の使用時、図２に示す電源１０が投入されると、ファン回転制御部９を介してファン駆動部３に通電されることで、ファン駆動部３が駆動され、これによってファン２が回転して換気を行わせることで、電化製品の内部に発生した熱を排気させることとなる。【００１４】  この場合、ファンモジュール１には、温度感知センサ８とファン回転制御部９とからなる制御装置７が備えられ、ファン２及びファン駆動部３の周囲の温度に基づき、ファン駆動部３を介してファン２の回転数が制御されることとなる。
つまり、例えば電気製品の内部の温度が所期設定温度より高くなり、その温度が温度感知センサ８によって検出されて、その検出信号がファン回転制御部９に入力されると、ファン回転制御部９がファン駆動部３の駆動力を大きくすることで、ファン２の回転数を高くさせる一方、電気製品の内部の温度が所期設定温度より低くなり、その温度が温度感知センサ８によって検出されて、その検出信号がファン回転制御部９に入力されると、ファン回転制御部９がファン駆動部３の駆動力を小さくすることで、ファン２の回転数を低くさせる。【００１５】  従って、本実施形態によれば、ファン２及びファン駆動部３の周囲の温度に基づいてファン２の回転数を制御するので、ファン周囲の温度変化に応じて排気を良好に行うことができ、合理的な放熱効果を得ることができる。【００１６】  また、上述したように、ファン周囲の温度変化に応じて排気を良好に行えるので、例えば冬季のように気温の低い場合には、電化製品の内部の温度も夏季のときより低くなるので、ファンの回転数を極力低く抑えることができる。そのため、常に定回転で駆動される従来技術に比較すると、省電力化を達成することができる。因みに、定格電圧４８Ｖ、定格電流０．０７Ａのファンモジュールを用い、これを従来技術のように定回転させた場合に比較すると、本実施形態では、年間で約２０％の省電力を実現することが可能となる。【００１７】  また、回転数センサ６ａと回転停止センサ６ｂと状態センサ６ｃとからなる異常検出手段６が搭載されているので、電源１０の供給時、ファン駆動部３が駆動していないと、上記各センサ６ａ〜６ｃの検出により、ファン２の異常として判断できるので、ファンモジュール１の異常の有無を確実に判定することができ、ファンモジュール１としての信頼性をより高めることができる。【００１８】  なお、上記実施の形態においては、異常検出手段６として、回転数センサ６ａと回転停止センサ６ｂと状態センサ６ｃとの全てを有して構成された例を示したが、少なくとも何れか一方を用いることでファンモジュールの異常の有無を判定することができ、図示例に限定されるものではない。
また、ファンモジュールが電子レンジなどの電化製品に搭載された例を示したが、それ以外の電化製品に適用しても同様の作用効果を得ることができ、さらには電化製品以外のもの、例えば、各種制御機器を収納した制御盤（制御箱）に、空気を通風させるために設置されたファンモジュールに適用しても、同様の作用効果を得ることができる。
【図面の簡単な説明】
【００１９】
【図１】  本発明の一実施の形態に係るファンモジュールを示す全体斜視図である。
【図２】  ファンモジュールの構成ブロック図である。
【符号の説明】
【００２０】  １…ファンモジュール
２…ファン
３…ファン駆動部
６…異常検出手段
６ａ…回転数センサ
６ｂ…回転停止センサ
６ｃ…状態センサ
７…制御装置
８…温度感知センサ
９…ファン回転制御部
【図１】
2005282556.tif 000003
【図２】
2005282556.tif 000004